(57)【特許請求の範囲】
【請求項１】
タンクユニットに熱源ユニットを連結してなる本体と、該本体の底部に連結された脚架台とを備える貯湯式給湯装置であって、
前記タンクユニットは、外部の加熱手段により加熱された湯を溜める貯湯タンクと、該貯湯タンクから延出する複数の配管類とを備え、
前記熱源ユニットは、前記貯湯タンクから導出される湯を加熱する熱源機と、該熱源機の下方に延出する複数の配管類とを備え、
前記脚架台は、内部に前記タンクユニット及び前記熱源ユニットから下方に延びる配管類を収容する配管スペースを形成する架台フレームと、該架台フレームの上部に設けられ、前記本体を載置して該本体の底部を連結する載置連結部と、前記架台フレームの下部に設けられ、前記載置連結部上に前記本体が載置されていない状態で床面への固定が行えるように構成された床面固定部とを備えることを特徴とする貯湯式給湯装置。
【請求項２】
前記床面固定部は、前記架台フレームの内側に設けられていることを特徴とする請求項１記載の貯湯式給湯装置。
【請求項３】
前記本体は、その側面を覆う本体用化粧カバーを備え、前記脚架台は、前記本体用化粧カバーの下端縁に連なって該架台フレームの側面を覆う脚架台用化粧カバーを備えることを特徴とする請求項１又は２記載の貯湯式給湯装置。
【請求項４】
前記本体は、前記脚架台を取り外した状態のとき接地させる接地枠と、該接地枠の外周面に着脱自在に連結された複数の床面固定部材とを備え、
前記脚架台は、前記載置連結部上に前記本体が載置されたとき、前記床面固定部材が取り外された接地枠の外周面を覆う覆壁を備えることを特徴とする請求項１乃至３の何れか１項記載の貯湯式給湯装置。
【発明の詳細な説明】
【技術分野】
【０００１】
本発明は、タンクユニットに熱源ユニットを連結することによって構成された貯湯式給湯装置に関する。
【背景技術】
【０００２】
従来、ヒートポンプ等の加熱手段を用いて生成された湯を貯湯タンクに貯めておき、貯湯タンク内の湯の温度が低下した場合には、ガス給湯器等の補助熱源を用いて加熱して出湯するようにした貯湯式給湯装置が知られている（下記特許文献１参照）。
【０００３】
この貯湯式給湯装置は、その本体がタンクユニットと熱源ユニットとで構成される。タンクユニットは、貯湯タンクと、貯湯タンクから延出する複数の配管類とを備え、貯湯タンク及び配管類はタンク用筐体に収容されている。熱源ユニットは、所謂ガス給湯器である熱源機と、熱源機の下方に延出する複数の配管類とを備え、熱源機を支持台上に載置して連結すると共に支持台の内部に熱源機の下方に延出する複数の配管類を収容している。そして、熱源ユニットはタンクユニットに隣接して組み付けられ、一体的な複合ユニットとして本体を形成している。
【０００４】
ところで、例えば、マンションのバルコニーに設置された貯湯式給湯装置は、室内の床下を通してバルコニー上に引き出された配管類に接続される。この配管類は、貯湯式給湯装置の底部側に位置するため、これを覆い隠して配管類の保護をしたり貯湯式給湯装置の外観低下を防止すべく、本体の下部に配管カバーを設けることが行われている（下記特許文献２参照）。
【先行技術文献】
【特許文献】
【０００５】
【特許文献１】特開２０１１−１５８１２８号公報
【特許文献２】特開２０１０−１１２５８７号公報
【発明の概要】
【発明が解決しようとする課題】
【０００６】
上記従来の貯湯式給湯装置における配管カバーは、貯湯式給湯装置の本体を、コンクリートの床面に打ち込んだアンカーボルト等に連結して自立させた後に、本体の下部の周囲に取り付けられる。このため、比較的低い位置に複数の部品を取り付けなければならず、作業性が極めて悪いために、作業者の負担が大きい。また、例えば、壁面近くに本体を設置した場合には、壁面と本体との間に作業スペースが確保できないために、配管カバーの取り付け作業が困難となる。
【０００７】
上記の点に鑑み、本発明は、設置の際の作業性が高く作業者の負担を飛躍的に軽減することができる貯湯式給湯装置を提供することを目的とする。
【課題を解決するための手段】
【０００８】
かかる目的を達成するために、本発明は、タンクユニットに熱源ユニットを連結してなる本体と、該本体の底部に連結された脚架台とを備える貯湯式給湯装置であって、前記タンクユニットは、外部の加熱手段により加熱された湯を溜める貯湯タンクと、該貯湯タンクから延出する複数の配管類とを備え、前記熱源ユニットは、前記貯湯タンクから導出される湯を加熱する熱源機と、該熱源機の下方に延出する複数の配管類とを備え、前記脚架台は、内部に前記タンクユニット及び前記熱源ユニットから下方に延びる配管類を収容する配管スペースを形成する架台フレームと、該架台フレームの上部に設けられ、前記本体を載置して該本体の底部を連結する載置連結部と、前記架台フレームの下部に設けられた床面固定部とを備えて、該床面固定部により床面に固定した後に、前記載置連結部上に前記本体が載置連結されることを特徴とする。
【０００９】
本発明によれば、貯湯式給湯装置を設置するとき、先ず、脚架台を床面固定部を介して床面に連結し固定する。脚架台の床面への固定は、例えば、コンクリートの床面に打ち込んだアンカーボルト等に床面固定部を連結することにより行われる。このように、脚架台の上部に本体が載置されていない状態で脚架台の固定作業を行うことができるので、高い作業性が得られるだけでなく、貯湯式給湯装置の設置位置が家屋の壁面近くであっても、脚架台の固定作業を容易に行うことができる。
【００１０】
次いで、床面に固定された状態の脚架台の載置連結部に本体を載置し本体の底部を連結する。このとき既に脚架台が床面に固定されているので、脚架台上に安定して本体を載置することができ、貯湯式給湯装置の設置作業を効率良く行うことができる。
【００１１】
また、本体の底部が脚架台の載置連結部に連結されることにより、載置連結部を介してタンクユニットと熱源ユニットとの連結状態が一層強固となるという利点もある。
【００１２】
このとき、前記床面固定部は、前記架台フレームの内側に設けられていることが好ましい。これによれば、床面と脚架台との連結部分が露出せず見栄えが良くなる。しかも、脚架台の上部に本体が載置されていない状態で脚架台の固定作業が行われるので、床面固定部が架台フレームの内側に設けられていても、床面固定部と床面との連結作業を架台フレームの上方から行うことも可能であり、その作業を容易とすることができる。
【００１３】
また、本発明において、前記本体は、その側面を覆う本体用化粧カバーを備え、前記脚架台は、前記本体用化粧カバーの下端縁に連なって該架台フレームの側面を覆う脚架台用化粧カバーを備えることを特徴とする。
【００１４】
これによれば、本体用化粧カバーとそれに連なる脚架台用化粧カバーとで本体と脚架台との一体感が得られ、貯湯式給湯装置の外観を向上させることができる。
【００１５】
ここで、例えば、マンションのバルコニーの床面に合成樹脂製の防水シートが貼着されているときには、貯湯式給湯装置の設置位置の防水シートを切断し剥離する場合がある。本発明によれば、脚架台に脚架台用化粧カバーを設けることで、脚架台の投影面積を架台フレームの外側に広げることが可能となる。これにより、防水シートの切断端縁を脚架台用化粧カバーの内側に隠して見え難くすることができ、設置された貯湯式給湯装置周りの床面の見栄えを向上させることができる。
【００１６】
また、本発明において、前記本体は、前記脚架台を取り外した状態のとき接地させる接地枠と、該接地枠の外周面に着脱自在に連結された複数の床面固定部材とを備え、前記脚架台は、前記載置連結部上に前記本体が載置連結されたとき、前記床面固定部材が取り外された接地枠の外周面を覆う覆壁を備えることを特徴とする。
【００１７】
これによれば、前記脚架台を用いずに貯湯式給湯装置を設置する場合に、本体の接地枠に複数の床面固定部材を連結し、本体を床面のアンカーボルト等に確実に固定することができる。
【００１８】
一方、脚架台に本体を載置するときには、床面固定部材を接地枠から取り外した状態として、本体をを脚架台に載置する。このとき、脚架台が本体の接地枠を覆う前記覆壁を備えることにより、本体と脚架台とを連結したときの連結部分に位置する接地枠を覆い隠すことができる。これにより、本体と脚架台との一体感が得られ、貯湯式給湯装置の外観を向上させることができる。
【図面の簡単な説明】
【００１９】
【図１】本発明の実施形態の貯湯式給湯装置を示す斜視図。
【図２】本実施形態の貯湯式給湯装置の本体を示す側面図。
【図３】本実施形態における脚架台を示す斜視図。
【図４】脚架台の内部の構成を示す斜視図。
【図５】脚架台の要部の説明的断面図。
【図６】貯湯式給湯装置の設置作業を示す説明図。
【図７】本実施形態の貯湯式給湯装置の本体の下端部を示す説明的斜視図。
【図８】床面固定部材を示す斜視図。
【図９】床面固定部材の床面への固定状態を示す説明図。
【発明を実施するための形態】
【００２０】
本発明の一実施形態を図面に基づいて説明する。本実施形態の貯湯式給湯装置は、図１に示すように、本体１と、脚架台２とを備えている。本体１は、図２に示すように、タンクユニット３に熱源ユニット４を連結することにより構成される。図１に示すように、本体１の左右両側が本体用化粧カバー５により覆われている。本体用化粧カバー５は、本体１から容易に取り外すことができるようになっている。
【００２１】
なお、貯湯式給湯装置は、外部に図示しないヒートポンプ等の加熱手段が接続される。タンクユニット３は、この加熱手段により加熱生成された湯を溜めるために設けられるものであり、熱源ユニット４は、給湯時にタンクユニット３の湯切れが生じた場合に、給湯設定温度まで加熱して出湯するために設けられるものである。
【００２２】
図２に示すように、タンクユニット３は、角柱状のタンク用筐体６に、貯湯タンク７、及び図示しない配管類や電装品等を収容することにより構成されている。タンク用筐体６は、本体上部覆板８と本体下部覆板９とによって側面が閉塞されている。本体上部覆板８と本体下部覆板９とは、メンテナンス作業等のために、タンクユニット３から取り外すことができるようになっている。
【００２３】
本体上部覆板８により閉塞される上部空間には、図示しない電装品等が収容される。本体下部覆板９により閉塞される下部空間には、図示しない配管類が収容される。そして、上部空間及び下部空間の奥側には円柱状の貯湯タンク７が収容されている。
【００２４】
また、タンク用筐体６の底部には平面視矩形状の第１接地枠１０が設けられている。第１接地枠１０は、タンク用筐体６の支柱の下端に連結され、タンクユニット３の荷重を支えている。第１接地枠１０の外周には後述する複数の床面固定部材１１を連結するための床面固定部材連結部１２が形成されている。
【００２５】
熱源ユニット４は、熱源機１３と、熱源機１３の底部を支持する支持台１４とで構成され、支持台１４の内部には図示しない配管類が収容されている。支持台１４の底部には平面視矩形状の第２接地枠１５が設けられている。第２接地枠１５は、支持台１４の支柱の下端に連結され、熱源機１３及び支持台１４の荷重を支えている。第２接地枠１５の外周には第１接地枠１０と同様の床面固定部材連結部１２が形成されている。
【００２６】
熱源機１３は、単体で使用することができる所謂ガス給湯器であり、ケース１６の内部に図示しないガスバーナや熱交換器等が収容されている。ケース１６は、一側面を開放面とする箱形状の器体１７と、器体１７の開放面を閉塞する蓋体１８とを備えている。蓋体１８からは、排気筒１９が突出している。
【００２７】
本体用化粧カバー５は、図１に示すように、本体上部カバー部２０と本体下部カバー部２１との上下２つで構成されている。本体上部カバー部２０と本体下部カバー部２１とは、夫々が独立して取り外し可能とされている。
【００２８】
図２に示すように、タンク用筐体６の底部の第１接地枠１０と支持台１４の底部の第２接地枠１５とは、本体底部２２を構成している。本体底部２２は、本体用化粧カバー５の下方に露出する（図７参照）。そして、本体底部２２は脚架台２に連結され、図１に示す貯湯式給湯装置が形成される。
【００２９】
次に、脚架台２について説明する。脚架台２は、図１に示すように、本体１の下方に連続する形状であり、図３に示すように、その内部が中空の箱形状に形成されている。脚架台２は、図４（ａ）に示すように、架台フレーム２３を備えている。架台フレーム２３は、複数（本実施形態では６つ）の脚柱２４と、脚柱２４の上端に溶接等により固設された載置板２５（載置連結部）とを備えて、それらに包囲された内側に配管類が収容となる配管スペースを形成している。
【００３０】
載置板２５には、本体底部２２をボルト止めにより連結するための複数の螺子孔２６が形成されており、更に、本体１の下方に延びる図示しない配管類を通すための複数の配管用開口２７が形成されている。
【００３１】
図４（ｂ）に示すように、架台フレーム２３の四方の各外側面には、夫々、覆板２８が取り付けられている。覆板２８は、図４（ａ）及び図５に示すように、各脚柱２４に設けた支持部材２９及び載置板２５の周端部の垂下壁３０に螺子止めされる。
【００３２】
また、覆板２８は、載置板２５よりも高い位置まで延びており、図５に示すように、載置板２５上に載置当接された本体底部２２（第１接地枠１０及び第２接地枠１５）の外周面を覆い隠すようになっている。覆板２８における載置板２５の上方に延びる部分は本発明の覆壁に相当するものである。なお、図示していないが、背面側の覆板２８は、配管類を通すことができるように一部が切欠かれたものが取り付けられる。
【００３３】
そして、図３に示すように、脚架台２の覆板２８の外側には脚架台用化粧カバー３１が取り付けられる。脚架台用化粧カバー３１は、図５に示すように、下端に連設した連結片３２を備え、脚柱２４に取り付けた支持部材３３に手螺子３４により連結される。なお、脚架台用化粧カバー３１の上端側は図示しない連結手段により着脱自在に連結される。
【００３４】
脚架台用化粧カバー３１は、図１に示すように、本体用化粧カバー５と同一デザインを有しており、本体用化粧カバー５の下端縁に連なるようにして脚架台２の側面を覆うことで、本体１と脚架台２とに一体感を付与している。
【００３５】
また、図５に示すように、脚柱２４の下端から内側に張り出すようにして一体に設けられた接地面部３５（床面固定部）には、ボルト貫通孔３６が形成されている。ボルト貫通孔３６には、マンションのバルコニー等のコンクリート床３７に設けたアンカーボルト３８が貫通する。
【００３６】
アンカーボルト３８は、コンクリート床３７に形成した穴内に挿入したアンカー部材３９と、アンカー部材３９に螺着させる固定ボルト４０とで構成されている。そして、ボルト貫通孔３６に固定ボルト４０を挿入した後、固定ボルト４０にワッシャ４１を介してナット４２を螺着させる。こうすることで、脚架台２は設置床面上に強固に固定される。なお、アンカーボルトは、上記の構成に限るものではない。
【００３７】
また、マンションのバルコニー等のコンクリート床３７には、図５に示すように、合成樹脂製の防水シート４３が貼着されている場合がある。この場合には、脚架台２の脚柱２４の接地面部３５とコンクリート床３７との密着度を高めるために、少なくとも接地面部３５が当接する部分の防水シート４３が破断剥離される。このため、脚柱２４の周囲に防水シート４３の破断端縁４４が露出して見栄えが悪いことがある。しかし、脚架台２は脚架台用化粧カバー３１が設けられてその投影面積が拡大されていることにより、脚柱２４の周囲の防水シート４３の破断端縁４４が脚架台用化粧カバー３１により見え難くなり、見栄えが向上する。
【００３８】
次に、貯湯式給湯装置の設置作業について説明する。図６（ａ）に示すように、先ず、マンションのバルコニー等のコンクリート床３７に突設したアンカーボルト３８に脚柱２４を対応させて、当該床３７に脚架台２を載置する。次いで、図５に示すように、脚柱２４の接地面部３５を貫通したアンカーボルト３８にワッシャ４１を介してナット４２を螺着させる。これにより、脚架台２が床３７に固定される。このように、本実施形態によれば、脚架台２の上部に本体１が載置されていない状態で脚架台２の床３７への固定作業を行うことができる。これにより、高い作業性が得られるだけでなく、マンションの外壁に近接する位置であっても、脚架台２の設置を容易に行うことができる。更に、接地面部３５は脚柱２４の内側に張り出して設けられ、この接地面部３５をアンカーボルト３８に固定することにより、アンカーボルト３８が脚柱２４の内方に隠される。これにより、アンカーボルト３８は脚架台２の外側には露出しないため見栄えが良い。
【００３９】
続いて、図６（ｂ）に示すように、本体１を脚架台２の上方から下降させる。次いで、図６（ｃ）に示すように、脚架台２の載置板２５に本体１を載置する。そして、図示しないが、載置板２５上に当接する本体底部２２（第１接地枠１０及び第２接地枠１５）がボルト止めによって載置板２５に連結される。このとき、脚架台２は床３７に固定された状態であるので、本体１を載置板２５に載置する作業が安定して行える。
【００４０】
以上により、図１に示すように、本体１と脚架台２とが一体となった状態で設置される。そして、本体１の下部に脚架台２を設けたことにより、図示しないが、マンション等において室内の床下を通してバルコニー上に引き出された配管類は、脚架台２に収容した配管類と接続される。これにより、効率良く配管施工が行えるだけでなく、貯湯式給湯装置の周囲への配管類の露出も少なくでき、外観低下を防止することができる。
【００４１】
また、図７に示すように、本体１は、本体底部２２（第１接地枠１０及び第２接地枠１５）の複数の床面固定部材連結部１２に床面固定部材１１を連結することで、脚架台２を設けない状態であっても設置床面に固定できるようになっている。
【００４２】
各床面固定部材１１は、各床面固定部材連結部１２のうち、何れかの位置に選択的に螺子部材４５（図９参照）により着脱自在に連結される。なお、図８に示すように、床面固定部材１１は、取り付け位置に応じて３種のものが用意されている。即ち、第１床面固定部材１１Ａは、図８（ａ）に示すように、床面に沿う形状の床面固定板４６と、床面固定板４６の一端縁から垂直に起立する本体連結板４７とを備えている。
【００４３】
本体連結板４７には螺子部材を貫通させる複数の螺子貫通孔４８が形成されている。螺子貫通孔４８は水平方向に延びる長孔で、各床面固定部材連結部１２の螺子孔に対して横方向に位置ずれが生じていても、螺子止めが可能となる。
【００４４】
床面固定板４６には、前述のアンカーボルト３８を貫通させる凹状のボルト受け部４９が形成されている。床面固定板４６の両側には一対の補強曲げ部５０が形成されており、これにより床面固定板４６の曲げ強度を向上させている。
【００４５】
更に、本体連結板４７の一側端縁には、第１延設片５１が一体に連設されている。第１床面固定部材１１Ａの第１延設片５１は、図７に示すように、本体底部２２の一方角部に形成されている第１位置決め穴５２に挿入して位置決めされる。なお、第１位置決め穴５２は、本体底部２２の対角線上に設けられている。
【００４６】
第２床面固定部材１１Ｂは、図８（ｂ）に示すように、第１床面固定部材１１Ａの第１延設片５１と異なる向きの第２延設片５３を備え、それ以外は第１床面固定部材１１Ａと同様の構成を有している。第２床面固定部材１１Ｂの第２延設片５３は、図７に示すように、本体底部２２の一方角部に形成されている第２位置決め穴５４に挿入して位置決めされる。なお、第２位置決め穴５４は、第１位置決め穴５２と異なる対角線上に設けられている。
【００４７】
第３床面固定部材１１Ｃは、図８（ｃ）に示すように、第１延設片５１も第２延設片５３も備えず、それ以外は、第１床面固定部材１１Ａ及び第２床面固定部材１１Ｂと同様の構成を有している。第１床面固定部材１１Ａ及び第２床面固定部材１１Ｂは、本体底部２２の角部に対応するのに対し、第３床面固定部材１１Ｃは、本体底部２２の外周の何れの位置であっても取り付けることができる。
【００４８】
第１床面固定部材１１Ａは、第１延設片５１を第１位置決め穴５２に挿入して位置決めすることにより、床面固定部材連結部１２への取り付け作業が容易となり、取り付け状態も強固となる。同じく、第２床面固定部材１１Ｂも、第２延設片５３を第２位置決め穴５４に挿入して位置決めすることにより、床面固定部材連結部１２への取り付け作業が容易となり、取り付け状態も強固となる。第３床面固定部材１１Ｃは、延設片を備えないが、それによって、何れの位置の床面固定部材連結部１２であっても容易に取り付けることができる。
【００４９】
これらの床面固定部材１１（１１Ａ，１１Ｂ，１１Ｃ）は、図９に示すように、マンションのバルコニー等の床３７にアンカーボルト３８によって固定される。アンカーボルト３８による固定状態は、前述した脚架台２と同様に強固である。
【００５０】
本体底部２２には床面固定部材１１が設けられるが、床面固定部材１１は着脱自在である。よって、脚架台２を用いて貯湯式給湯装置を設置する場合には、本体底部２２から床面固定部材１１を取り外して脚架台２に連結する。また、脚架台２を用いずに貯湯式給湯装置を設置する場合には、本体底部２２に床面固定部材１１を連結する。このように、本実施形態においては、脚架台２の有無に関わらず所望の設置位置に対して確実に貯湯式給湯装置を設置することができる。
【符号の説明】
【００５１】
１…本体、２…脚架台、３…タンクユニット、４…熱源ユニット、５…本体用化粧カバー、７…貯湯タンク、１０…第１接地枠（接地枠）、１１…床面固定部材、１３…熱源機、１５…第２接地枠（接地枠）、２２…本体底部、２３…架台フレーム、２５…載置板（載置連結部）、２８…覆板（覆壁）、３１…脚架台用化粧カバー、３５…接地面部（床面固定部）。
【図１】
0005951258.tif 000002
【図２】
0005951258.tif 000003
【図３】
0005951258.tif 000004
【図４】
0005951258.tif 000005
【図５】
0005951258.tif 000006
【図６】
0005951258.tif 000007
【図７】
0005951258.tif 000008
【図８】
0005951258.tif 000009
【図９】
0005951258.tif 000010